(57)【要約】【課題】水栓本体側あるいはシャワホース側の水圧の変化に比例した水量を吐水管あるいはシャワヘッドのシャワ板から吐水させながらも節水できる水栓用節水部材およびシャワ用節水部材を提供すること。【解決手段】水栓本体２に接続される吐水管３の上流口３ａの内部に嵌込まれる樹脂製の水栓用節水部材１であって、有底筒状で、下流側に底部４が位置するよう前記上流口３ａの内部に嵌込まれ、前記上流口３ａの上流端面ｍに係止される外向きフランジ５を上流端に有するとともに、前記上流口３ａの内周面ｎに当接する環状突出部５を胴７の外周Ｅに円周方向に沿う形で有し、更に、水栓本体２の流出流路ｉを吐水管３の吐水流路ｊに連通させるとともに、前記吐水流路ｊの吐水流量を前記流出流路ｉの流出流量より減少させ、かつ、流出流路側の水圧の変化に比例して前記吐水流量を変化させうる複数の連通孔８を前記底部４に有する。【選択図】          図４
2004332288.tif 000002
【特許請求の範囲】
【請求項１】
水栓本体に接続される吐水管の上流口の内部に嵌込まれる樹脂製の水栓用節水部材であって、有底筒状で、下流側に底部が位置するよう前記上流口の内部に嵌込まれ、前記上流口の上流端面に係止される外向きフランジを上流端に有するとともに、前記上流口の内周面に当接する環状突出部を胴の外周に円周方向に沿う形で有し、更に、水栓本体の流出流路を吐水管の吐水流路に連通させるとともに、前記吐水流路の吐水流量を前記流出流路の流出流量より減少させ、かつ、流出流路側の水圧の変化に比例して前記吐水流量を変化させうる複数の連通孔を前記底部に有することを特徴とする水栓用節水部材。
【請求項２】
継手を介してシャワホースに接続されるシャワヘッドの上流口の内部に嵌込まれる樹脂製のシャワ用節水部材であって、有底筒状で、下流側に底部が位置するよう前記上流口の内部に嵌込まれ、前記上流口の上流端面に係止される外向きフランジを上流端に有するとともに、前記上流口の内周面に当接する環状突出部を胴の外周に円周方向に沿う形で有し、更に、シャワホースの流出流路をシャワヘッドの吐水流路に連通させるとともに、前記吐水流路の吐水流量を前記流出流路の流出流量より減少させ、かつ、流出流路側の水圧の変化に比例して前記吐水流量を変化させうる複数の連通孔を前記底部に有することを特徴とするシャワ用節水部材。
【発明の詳細な説明】
【０００１】
【発明の属する技術分野】
この発明は、水栓用節水部材およびシャワ用節水部材に関するものである。
【０００２】
【従来の技術および発明が解決しようとする課題】
図７に示すように、例えば水栓本体７１に接続された吐水管７２からは、通常、水栓本体側の水圧の変化に比例した水量が吐水するので、水圧が高くなった場合は水量が増加することになる。一方、水栓本体７１と吐水管７２の接続部に、水栓本体側の水圧が変化しても常に同じ水量を吐水管７２から吐水させる定流量弁を設けることにより節水効果をうることができるけれども、水栓本体側の水圧の変化に比例した水量を吐水管から吐水させながら節水もできる水栓用節水部材が望まれる。
【０００３】
また、図８に示すように、シャワホース側の水圧が変化しても常に同じ水量を、シャワヘッド８１の吐水口８３に装着されたシャワ板８２から吐水させる定流量弁をシャワヘッド８１とシャワホース８２の接続部に設けることにより節水効果をうることができるけれども、シャワホース側の水圧の変化に比例した水量をシャワ板８２から吐水させながら節水もできるシャワ用節水部材が望まれる。
【０００４】
また、シャワ板に設ける吐水孔の数を通常のものより少なくすることにより、節水できるようにしたシャワがあるけれども、シャワ板の吐水孔の数を減らすることなく節水できるシャワが望まれている。
【０００５】
この発明は、上記問題に鑑みてなしたもので、水栓本体側あるいはシャワホース側の水圧の変化に比例した水量を吐水管あるいはシャワヘッドのシャワ板から吐水させながらも節水できる水栓用節水部材およびシャワ用節水部材を提供することを目的としている。
【０００６】
【課題を解決するための手段】
上記目的を達成するために、この発明の水栓用節水部材は、水栓本体に接続される吐水管の上流口の内部に嵌込まれる樹脂製の水栓用節水部材であって、有底筒状で、下流側に底部が位置するよう前記上流口の内部に嵌込まれ、前記上流口の上流端面に係止される外向きフランジを上流端に有するとともに、前記上流口の内周面に当接する環状突出部を胴の外周に円周方向に沿う形で有し、更に、水栓本体の流出流路を吐水管の吐水流路に連通させるとともに、前記吐水流路の吐水流量を前記流出流路の流出流量より減少させ、かつ、流出流路側の水圧の変化に比例して前記吐水流量を変化させうる複数の連通孔を前記底部に有することを特徴とする。
【０００７】
この発明における連通孔の数は、各連通孔の開口面積Ｓ１  ，Ｓ２  ，Ｓ３  ，Ｓ４  …と底部の面積Ａに依存する。比較例として、吐水量に支障はきたさないが節水効果は得られない開口面積Ｓ（＜Ａ）を持った一つの連通孔を底部に穿設した場合を考える。この比較例では節水効果は得られない。しかし、この発明では、例えば開口面積Ｓ１  ，Ｓ２  ，Ｓ３  およびＳ４  （Ｓ＝Ｓ１  ＋Ｓ２  ＋Ｓ３  ＋Ｓ４  ）をそれぞれ有する、前記一つの連通孔より小面積の４個の連通孔を底部に穿設すると節水効果を得ることができる。そして、Ｓ＝Ｓ１  ＋Ｓ２  ＋Ｓ３  ＋Ｓ４  なので、吐水量に支障はきたすことはない。そして、基準となる前記一つの連通孔の開口面積Ｓは、０．３×Ａ＜Ｓ＜０．８×Ａが好ましい。
【０００８】
また、この発明は別の観点から、継手を介してシャワホースに接続されるシャワヘッドの上流口の内部に嵌込まれる樹脂製のシャワ用節水部材であって、有底筒状で、下流側に底部が位置するよう前記上流口の内部に嵌込まれ、前記上流口の上流端面に係止される外向きフランジを上流端に有するとともに、前記上流口の内周面に当接する環状突出部を胴の外周に円周方向に沿う形で有し、更に、シャワホースの流出流路をシャワヘッドの吐水流路に連通させるとともに、前記吐水流路の吐水流量を前記流出流路の流出流量より減少させ、かつ、流出流路側の水圧の変化に比例して前記吐水流量を変化させうる複数の連通孔を前記底部に有することを特徴とするシャワ用節水部材を提供する。
【０００９】
【発明の実施の形態】
以下にこの発明の実施形態について説明する。なお、それによって、この発明は限定されるものではない。
【００１０】
図１〜図４は、水栓本体と吐水管の接続部に設けたこの発明の一実施形態を示す。
【００１１】
図１〜図４において、水栓用節水部材１は、樹脂製で、単水栓Ａの水栓本体２に接続される吐水管３の平面視円形の上流口３ａの内部に嵌込まれている。
【００１２】
前記水栓用節水部材１は、上方開口１ａを有する有底筒状で、下流側に底部４が位置するよう上流口３ａ内に嵌込まれるものである。
【００１３】
更に、前記水栓用節水部材１は、上流口３ａ内に嵌込まれたときに、前記上流口３ａの環状上流端面ｍに係止される環状の外向きフランジ５を上流端に有する。すなわち、前記外向きフランジ５は上方開口１ａの周囲に形成されている。また、水栓用節水部材１は、前記上流口３ａの内周面ｎに当接する平面視円形の環状突出部６を水栓用節水部材１の胴７の外周ｅに円周方向に沿う形で有する。６ａは、外向きフランジ５および環状突出部６間における胴７の外周ｅに円周方向に沿う形で設けたＯリングで、環状突出部６の直上流側に設けられている。
【００１４】
また、前記水栓用節水部材１は、前記吐水流路ｊの吐水流量を前記流出流路ｉの流出流量より減少させ、かつ、流出流路側の水圧の変化に比例して前記吐水流量を変化させうる複数の連通孔８を前記底部４に有する。前記連通孔８は丸孔であり、水栓本体２内に設けた弁体１０よりも水栓本体２内の下流側に形成される流出流路ｉを吐水管４の吐水流路ｊに連通させる。この実施形態では４個の連通孔８を底部４に穿設している。各連通孔８は開口面積Ｓ１  ，Ｓ２  ，Ｓ３  ，Ｓ４  を有する。
【００１５】
１１は、水栓用節水部材１内部で、底部４の表面４ａの中央位置から外向きフランジ５側に垂直状態で立設されているつまみ片である。このつまみ片１１は環状突出部６および外向きフランジ５間に頂部１１ａが位置するような垂直な長さに設定されている。そして、ピンセットのような工具で前記つまみ片１１を把持しながら水栓用節水部材１を上流口３ａ内に嵌込んだり、上流口３ａ内から取り出すことができる。
【００１６】
図５には、この発明の水栓用節水部材１を用いたときの水栓本体側の水圧（圧力）と吐水管３からの吐水量の関係をＢで示す。また、比較例として図５には、水栓用節水部材１を用いないときの図７に示す状態での水圧（圧力）と吐水量の関係をＣで、水栓本体と吐水管の接続部に定流量弁を設けたときの水圧（圧力）と吐水量の関係をＤで示している。図５から、水栓本体側の水圧（圧力）が例えばＦのときΔＨの吐水量が節約できることが分かる。
【００１７】
図６は、シャワホースの下流端に設けた継手とシャワヘッドとの接続部に設けたこの発明の他の実施形態を示す。図６において、図１〜図５に示した符号と同一のものは同一または相当物である。
【００１８】
図６において、シャワ用節水部材１’は、樹脂製で、シャワヘッド２１の上流口３ａ’の内部で、かつ下流側に底部４が位置するよう上流口３ａ’内に嵌込まれる。上流口３ａ’の外周面には雄ねじ２２が形成されており、シャワホース２３の下流端２３ａに設けた継手２４に形成されている雌ねじ２５に前記雄ねじ２２が螺合する。
【００１９】
シャワ用節水部材１’は、有底筒状で、下流側に底部４が位置するよう上流口３ａ’内に嵌込まれ、この上流口３ａ’の上流端面ｍ’に係止される外向きフランジ５を上流端に有するとともに、前記上流口３ａ’の内周面ｎ’に当接する環状突出部６を胴７の外周ｅに円周方向に沿う形で有し、更に、シャワホース２３の流出流路ｉ’をシャワヘッド２１の吐水流路ｊ’に連通させるとともに、前記吐水流路ｊ’の吐水流量を前記流出流路ｉ’の流出流量より減少させ、かつ、流出流路側の水圧の変化に比例して前記吐水流量を変化させうる複数の連通孔８を前記底部４に有する。
【００２０】
この場合、シャワヘッド２１のシャワ板２７の吐水孔２７ａから吐水させながらも節水できる。そして、上流口３ａ’の内径が前記上流口３ａの内径に等しい場合には、シャワ用節水部材１’を水栓用節水部材に兼用できる。
【００２１】
【発明の効果】
以上説明したようにこの発明によれば、水栓本体側あるいはシャワホース側の水圧の変化に比例した水量を吐水管あるいはシャワヘッドのシャワ板から吐水させながらも節水できる水栓用節水部材およびシャワ用節水部材を提供することができる。
【図面の簡単な説明】
【図１】この発明の一実施形態を示す構成説明図である。
【図２】上記実施形態における下流側からみた底面図である。
【図３】図２におけるａ−ａ線断面図である。
【図４】上記実施形態における使用状態および取り付け状態を示す構成説明図である。
【図５】上記実施形態における水圧（圧力）対吐水管からの吐水量と、比較例における水圧（圧力）対吐水管からの吐水量との関係を示す図である。
【図６】この発明の他の実施形態における使用状態および取り付け状態を示す構成説明図である。
【図７】従来例を示す構成説明図である。
【図８】他の従来例を示す構成説明図である。
【符号の説明】
１…水栓用節水部材、２…水栓本体、３…吐水管、３ａ…上流口、４…底部、５…外向きフランジ、６…環状突出部、７…胴、８…連通孔、ｎ…内周面、ｍ…上流端面、ｅ…外周、ｉ…流出流路、ｊ…吐水流路。
【図１】
2004332288.tif 000003
【図２】
2004332288.tif 000004
【図３】
2004332288.tif 000005
【図４】
2004332288.tif 000006
【図５】
2004332288.tif 000007
【図６】
2004332288.tif 000008
【図７】
2004332288.tif 000009
【図８】
2004332288.tif 000010